(57)【特許請求の範囲】
【請求項１】
対向する第１，第２の導電性ケース部材が所定の接合方向から接合されて、ねじ，ボルト等の固定手段で固定されるシールドケースにおいて、
前記第１，第２の導電性ケース部材の前記接合方向における対向部の一方に設けられた弾性変形可能な弾性片部と、
前記対向部の他方に設けられた圧接部と、
前記接合方向に対して傾斜するように前記圧接部に形成されて、前記第１，第２の導電性ケース部材が接合されるときに、前記弾性片部に圧接して該弾性片部をシールドケースの内側に向かって弾性変形させる傾斜面と、
前記弾性片部および前記圧接部よりもシールドケースの外側寄りにずれて位置するように前記対向部のそれぞれに形成されて、前記第１，第２の導電性ケース部材が接合されたときに前記接合方向から互いに当接する当接部と、
前記対向部の一方における前記弾性片部と前記当接面との間の位置に形成されて、前記圧接部と嵌合する溝部と、
を備えることを特徴とするシールドケース。
【請求項２】
前記弾性片部の断面形状は、先端に向かって漸次肉薄となる形状であることを特徴とする請求項１に記載のシールドケース。
【請求項３】
前記弾性片部は前記圧接部の傾斜面と圧接する傾斜面を有し、
前記圧接部の傾斜面は、前記弾性片部の傾斜面よりも前記接合方向に対して大きな角度で傾斜する
ことを特徴とする請求項１または２に記載のシールドケース。
【請求項４】
前記弾性片部が設けられた第１，第２の導電性ケース部材の少なくとも一方は、炭素の長繊維をフェノール樹脂に配合した導電性樹脂によって成形されていることを特徴とする請求項１から３のいずれかに記載のシールドケース。
【発明の詳細な説明】
【０００１】
【産業上の利用分野】
本発明は、第１，第２の導電性ケース部材の対向部が嵌合されてなるシールドケースに係り、特に、高い電磁シールド性が要求されるテレビカメラのケースなどとして用いて好適なシールドケースに関するものである。
【０００２】
【従来の技術】
従来、この種のシールドケースとしては、例えば、図３に示すように、導電性の第１，第２のケース部材１１，１２の嵌合部に導電性ゴムのチューブ１３を圧縮して介在させることによって、第１，第２のケース部材１１，１２の間の導電性を確保したものが知られている。
【０００３】
また、他の従来例としては、例えば、実開平３−９７９９６号公報に記載のものが知られている。かかるシールドケースは、第１，第２のケース部材（同公報では、「本体部と蓋体部」）との嵌合面のそれぞれに、互いに対向するバネ状金具を固着し、それらのバネ状金具の接触によって電磁波をシールドする構成となっている。
【０００４】
【発明が解決しようとする課題】
ところが、前者の図３のシールドケースは、電磁シールド性を高めるために、第１，第２のケース部材の嵌合部を複雑にオーバーラップさせる形状としなければならず、またチューブ１３を必要とする分、部品点数が増えるという問題があった。
【０００５】
また、後者の実開平３−９７９９６号公報に記載のものは、バネ状金具を必要とする分、部品点数が増えると共に、そのバネ状金具を固着する面倒もある。
【０００６】
本発明の目的は、部品点数を増やすことなく、簡易な構成によって高い電磁シールドを確保することができるシールドケースを提供することにある。
【０００７】
【課題を解決するための手段】
本発明のシールドケースは対向する第１，第２の導電性ケース部材が所定の接合方向から接合されて、ねじ，ボルト等の固定手段で固定されるシールドケースにおいて、前記第１，第２の導電性ケース部材の前記接合方向における対向部の一方に設けられた弾性変形可能な弾性片部と、前記対向部の他方に設けられた圧接部と、前記接合方向に対して傾斜するように前記圧接部に形成されて、前記第１，第２の導電性ケース部材が接合されるときに、前記弾性片部に圧接して該弾性片部をシールドケースの内側に向かって弾性変形させる傾斜面と、前記弾性片部および前記圧接部よりもシールドケースの外側寄りにずれて位置するように前記対向部のそれぞれに形成されて、前記第１，第２の導電性ケース部材が接合されたときに前記接合方向から互いに当接する当接部と、前記対向部の一方における前記弾性片部と前記当接面との間の位置に形成されて、前記圧接部と嵌合する溝部と、を備えることを特徴とする。
【０００８】
【作用】
本発明のシールドケースは、第１，第２の導電性ケース部材の嵌合部において、一方側に設けられた弾性片部が他方側に設けられた圧接部によって弾性変形されることにより、その弾性片部の弾性変形を利用して、第１，第２の導電性ケース部材の嵌合部を確実に圧接させる。
【０００９】
【実施例】
以下、本発明の一実施例を図１および図２に基づいて説明する。
【００１０】
本実施例のシールドケースは、図１に示すように、高い電磁シールド性が要求されるテレビカメラのケースとしての構成例であり、そのケースは、導電性のカメラ本体（第１の導電性ケース部材）１の両側の開口部１Ａ，１Ａに、導電性のサイドパネル（第２の導電性ケース部材）２，２の内側周部２Ａ，２Ａを接合させた上、それらをボルト等によって結合した構成となっている。カメラ本体１はアルミニウム、またサイドパネル２は導電性の樹脂によって成形されている。その導電性の樹脂としては、例えば、熱硬化性フェノール系樹脂にカーボンの長繊維を絡ませたＣＦＲＰ（Ｃａｒｂｏｎ  Ｆｉｂｅｒ  Ｒｅｉｎｆｏｒｃｅｄ  Ｐｌａｓｔｉｃ）が好適であり、この樹脂は、薄肉成形が可能であり、比重も小さく軽量であり、アルミ合金とはぼ同等の強度（比重比強度）を持ち、剛性、耐候性、難燃性にも優れて安定した導電性を発揮する。ＣＦＲＰとしては、例えば、（株）神戸製鋼所製のものを用いることができる。
【００１１】
サイドパネル２の内側周部２Ａは、図２（ａ）に示すように、その全周に亘って延在する溝部２Ｂが形成されており、その溝部２Ｂの内側の壁部は、弾性変形が可能な舌状の弾性片部２Ｃとされている。弾性片部２Ｃの一側面は、所定の角度θ２で傾斜する傾斜面２Ｄとなっている。また、溝部２Ｂの外側の壁部の端部には、平坦な当接面２Ｅが形成されている。一方、カメラ本体１の開口部１Ａには、図２（ａ）に示すように、その全周に亘って延在して、サイドパネル２側の溝部２Ｂ内に嵌合可能な圧接部１Ｂが形成されており、その圧接部１Ｂの内側の周面には、弾性片部２Ｃの傾斜面２Ｄと対向する傾斜面１Ｃが形成されている。その傾斜面１Ｃは、角度θ２よりも大きな角度θ１で傾斜している。また、開口部１Ａの周面には、サイドパネル２側の当接面２Ｅと対向する平坦な当接面１Ｄが形成されている。
【００１２】
このように形成されたカメラ本体１とサイドパネル２は、図２（ｂ）のように接合されることによって、圧接部１Ｂが溝部２Ｂ内に嵌合し、その傾斜面１Ｃが弾性片部２Ｃの傾斜面２Ｄに圧接して、いわゆるくさび作用によって弾性片部２Ｃを内側（図２（ｂ）中の下側）に弾性変形させる。したがって、傾斜面１Ｃと傾斜面２Ｄは、弾性片部２Ｃの弾性変形を伴って、互いに密接することになる。そして、ネジ，ボルト等の固定手段によるカメラ本体１とサイドパネル２との結合力によって、当接部１Ｄ、２Ｅ同士が圧接されて、傾斜面１Ｃと外側面２Ｅとの密接状態が保持される。
【００１３】
なお、サイドプレート２と同様の導電性樹脂によってカメラ本体１を形成してもよい。また、開口部１Ａと内側周部２Ａの全周に亘って圧接部１Ｂと弾性片部２Ｃを形成する他、弾性片部２Ｃの弾性を確保するために、圧接部１Ｂまたは弾性片部２Ｃに部分的な切り欠きを設けてもよい。
【００１４】
【発明の効果】
以上説明したように、本発明のシールドケースは、第１，第２の導電性ケース部材の嵌合部において、一方側に設けられた弾性片部が他方側に設けられた圧接部によって弾性変形される構成であるから、その弾性片部の弾性変形を利用して、第１，第２の導電性ケース部材の嵌合部を確実に接触させることができ、この結果、部品点数を増やすことなく、簡易な構成によって高い電磁シールドを確保することができる。
【図面の簡単な説明】
【図１】本発明の一実施例を示すシールドケースの分解斜視図である。
【図２】図１に示すシールドケースの要部の拡大断面図である。
【図３】従来のシールドケースの要部の拡大断面図である。
【符号の説明】
１  カメラ本体（第１の導電性ケース部材）
１Ａ  開口部
１Ｂ  圧入部
１Ｃ  傾斜面
１Ｄ  圧接面
２  サイドパネル（第２の導電性ケース部材）
２Ａ  内側周部
２Ｂ  溝部
２Ｃ  弾性片部
２Ｄ  傾斜面
２Ｅ  圧接面
【図１】
0003614908.tif 000002
【図２】
0003614908.tif 000003
【図３】
0003614908.tif 000004